(57)【特許請求の範囲】
【請求項１】
コマンドと該コマンドに対応するパラメータとを含む文書画像データを入力する入力手段と、
コマンドと該コマンドに対応するパラメータとを含み且つ前記文書画像データと結合する背景画像データを記憶する記憶手段と、
文書画像の少なくとも一部分の構成要素の複写後の視認性が低下するように、前記文書画像データ及び記憶手段から読み出した前記背景画像データの少なくとも一方を変換する変換手段と、
少なくとも一方が変換された前記文書画像データと背景画像データとを結合する結合手段と、
を含む画像処理装置。
【請求項２】
コマンドと該コマンドに対応するパラメータとを含む文書画像データを入力する入力手段と、
コマンドと該コマンドに対応するパラメータとを含み且つ前記文書画像データと結合する背景画像データを記憶する記憶手段と、
前記入力手段から入力された文書画像データが特定文書に係るデータか否かを判定する判定手段と、
前記判定手段により前記文書画像データが特定文書に係るデータであると判定された場合に、文書画像の少なくとも一部分の構成要素の複写後の視認性が低下するように、前記文書画像データ及び記憶手段から読み出した前記背景画像データの少なくとも一方を変換する変換手段と、
少なくとも一方が変換された前記文書画像データと背景画像データとを結合する結合手段と、
を含む画像処理装置。
【請求項３】
前記背景画像データを、複写による偽造を防止するために潜像が埋め込まれた背景画像データとし、前記判定手段が、入力された文書画像データが機密文書に係るデータか否かを判定するようにした請求項２に記載の画像処理装置。
【請求項４】
前記文書画像の構成要素は、文書画像に含まれる文字、図形、及びイメージの少なくとも１つである請求項１〜３のいずれか１項に記載の画像処理装置。
【請求項５】
文書画像の構成要素の複写後の再現濃度を、背景画像の構成要素の複写後の再現濃度と同等とする、若しくは背景画像の構成要素の複写後の再現濃度より低下させる請求項１〜４のいずれか１項に記載の画像処理装置。
【請求項６】
文書画像の構成要素の複写後の視認性を、文書画像及び背景画像の構成要素の色及び濃度の少なくとも１つを変更して低下させる請求項１〜５のいずれか１項に記載の画像処理装置。
【請求項７】
文書画像の構成要素の色または濃度を、複写再現され難い色または濃度とする請求項６に記載の画像処理装置。
【請求項８】
文書画像の構成要素の色を、背景画像と同じ明度で異なる色調とする請求項６に記載の画像処理装置。
【請求項９】
前記文書画像データは、文書画像の構成要素の色に関する情報を含む請求項１〜８のいずれか１項に記載の画像処理装置。
【請求項１０】
前記背景画像データは、背景画像の色に関する情報を含む請求項１〜９のいずれか１項に記載の画像処理装置。
【請求項１１】
前記文書画像データ及び前記背景画像データは、ページ記述言語で記述された請求項１〜１０のいずれか１項に記載の画像処理装置。
【請求項１２】
前記文書画像データは、構成要素の色を指定するコマンドを含む請求項１〜１１のいずれか１項に記載の画像処理装置。
【請求項１３】
前記背景画像データは、画像の色空間を指定するコマンドを含む請求項１〜１２のいずれか１項に記載の画像処理装置。
【請求項１４】
前記文書画像データ及び前記背景画像データは、ラスタ画像データに変換前の画像データである請求項１〜１３のいずれか１項に記載の画像処理装置。
【発明の詳細な説明】
【０００１】
【発明の属する技術分野】
本発明は、画像処理装置に関し、特に、背景画像を文書画像に合成して出力画像を生成する画像処理装置に関する。
【０００２】
【従来の技術】
近年、パーソナル・コンピュータの普及、及びプリンタや複写機の高性能化に伴い、戸籍謄本、契約書等のプリントアウトされた機密文書の不正複写、不正使用が問題となっている。従来、このような機密文書の不正複写、不正使用を抑制するために、複写偽造防止用紙と呼ばれる特殊な用紙が使用されてきた。複写偽造防止用紙は、人間の目には見えにくいが、複写機で複写すると隠されていた警告文字等（以下、潜像という）が浮かび上がってくる特殊なパターンがあらかじめ印刷されている用紙である。この複写偽造防止用紙に印刷された文書を複写機で複写した場合、複写物には「複写禁止」「ＣＯＰＹ」等の警告文字が目立つように浮き出てくるので、不正に複写する行為に対して心理的な抑止になるとともに、警告文字によりオリジナルと複与物とを区別することが可能になる。
【０００３】
また、特開平７−２３１３８４号公報に記載された画像処理装置は、上述の複写偽造防止用紙と同様に、複写により可視化する潜像を埋め込んだ薄いグレーの背景画像を画像処理により生成するものである。この装置では、ＣＣＤ等で読み取られた画像データを複写記録する際に、その潜像文字部分と背景部分とが特定の共通濃度で異なるディザ処理を施された背景画像を文書画像に合成することにより、通常の用紙を用いて複写偽造防止用紙を用いた場合と同様のプリントを得ることができる。
【０００４】
更に、例えばプリントアウトされた機密文書を配布する際に、配布先に対応付けられた番号を潜像とする等、配布先毎に異なる背景画像を自動生成し文書画像に合成するようにすれば、複写された場合に、どの配布先で複写されたかを特定することも可能となる。
【０００５】
【発明が解決しようとする課題】
しかしながら、従来の画像処理装置では、複写機の解像力を利用して潜像を可視化する背景画像を使用している。即ち、潜像以外の背景画像は複写機では再現されないが、潜像部分だけは複写機で再現され可視化される。また、プリントアウトされた機密文書において背景画像が人間の目に見え難くなるように、薄いグレーの背景画像が付加されるのが一般的である。このため、プリントアウトされた機密文書を複写する際に、複写機のコピー濃度が薄く調整されると、潜像として埋め込まれた警告文字等が低濃度で複写再現される。同じ条件で繰り返し複写されると、複写再現された警告文字等の濃度が徐々に薄くなり、最後には消失してしまう、という問題があった。
【０００６】
一方、機密文書に係る文書画像を作成する際に、文字の色を複写機で再現されにくい色（例えば薄い青色）にすることにより、上記の問題を解消することができる。即ち、機密文書は、薄い青色文字の文書画像に潜像文字を含む薄いグレーの背景画像が合成された画像としてプリントアウトされることになり、機密文書の内容を複写再現するためには、複写機のコピー濃度を高くする必要がある。複写機のコピー濃度を高くする場合には、背景画像中の潜像も高濃度で複写再現されるため、繰り返し複写することにより複写再現された警告文字等を消し去るといった不正複写を防止することができる。
【０００７】
しかしながら、この方法では、機密文書に係る文書画像が予め複写機で再現され難い色で作成されている必要がある。このため、既存の機密文書の場合には予め再編集しておかなければならず、変更を要する機密文書の数が多い場合、その作業量が多くなる、という問題がある。また、機密文書の中には、再編集できない形式で保存してあるもの等、文字色を変更できない場合も考えられる。また、機密文書ファイルをモニター等のディスプレイ装置で閲覧する場合、文字色が淡い色に変更されていると読みにくくなる、という問題もある。
【０００８】
本発明は上記従来技術の問題点に鑑みなされたものであり、本発明の目的は、背景画像を文書画像に合成して出力画像を生成する際に、文書画像の構成要素の複写後の視認性を低下させて、不正複写を防止することができる画像処理装置を提供することにある。
【０００９】
【課題を解決するための手段】
上記目的を達成するために、本発明の画像処理装置は、コマンドと該コマンドに対応するパラメータとを含む文書画像データを入力する入力手段と、コマンドと該コマンドに対応するパラメータとを含み且つ前記文書画像データと結合する背景画像データを記憶する記憶手段と、文書画像の少なくとも一部分の構成要素の複写後の視認性が低下するように、前記文書画像データ及び記憶手段から読み出した前記背景画像データの少なくとも一方を変換する変換手段と、少なくとも一方が変換された前記文書画像データと背景画像データとを結合する結合手段と、を含んで構成したことを特徴とする。
【００１０】
この画像処理装置では、記憶手段には、文書画像データと結合する背景画像データが記憶されており、入力手段から文書画像データが入力されると、変換手段により文書画像の少なくとも一部分の構成要素の複写後の視認性が低下するように、文書画像データ及び記憶手段から読み出した背景画像データの少なくとも一方が変換され、少なくとも一方が変換された文書画像データと背景画像データとが結合手段により結合される。このように文書画像の少なくとも一部分の構成要素の複写後の視認性が低下するように、文書画像データ及び記憶手段から読み出した背景画像データの少なくとも一方を変換するので、文書画像の構成要素の複写後の視認性を低下させて、不正複写を防止することができる。
【００１１】
また、本発明の画像処理装置は、コマンドと該コマンドに対応するパラメータとを含む文書画像データを入力する入力手段と、コマンドと該コマンドに対応するパラメータとを含み且つ前記文書画像データと結合する背景画像データを記憶する記憶手段と、前記入力手段から入力された文書画像データが特定文書に係るデータか否かを判定する判定手段と、前記判定手段により前記文書画像データが特定文書に係るデータであると判定された場合に、文書画像の少なくとも一部分の構成要素の複写後の視認性が低下するように、前記文書画像データ及び記憶手段から読み出した前記背景画像データの少なくとも一方を変換する変換手段と、少なくとも一方が変換された前記文書画像データと背景画像データとを結合する結合手段と、を含む構成としてもよい。
【００１２】
この画像処理装置では、記憶手段には、文書画像データと結合する背景画像データが記憶されており、入力手段から文書画像データが入力されると、判定手段が入力手段から入力された文書画像データが特定文書に係るデータか否かを判定し、判定手段により文書画像データが特定文書に係るデータであると判定された場合には、変換手段により文書画像の少なくとも一部分の構成要素の複写後の視認性が低下するように、文書画像データ及び記憶手段から読み出した背景画像データの少なくとも一方が変換され、少なくとも一方が変換された文書画像データと背景画像データとが結合手段により結合される。
【００１３】
このように文書画像の少なくとも一部分の構成要素の複写後の視認性が低下するように、文書画像データ及び記憶手段から読み出した背景画像データの少なくとも一方を変換するので、文書画像の構成要素の複写後の視認性を低下させて、不正複写を防止することができる。また、判定手段により文書画像データが特定文書に係るデータであると判定された場合に、文書画像データと背景画像データとを結合するので、特定文書に確実に背景画像を付加することができる。
【００１４】
上記の画像処理装置において、背景画像データを、複写による偽造を防止するために潜像が埋め込まれた背景画像データとし、判定手段が入力された文書画像データが機密文書に係るデータか否かを判定するようにすることができる。このように複写による偽造を防止するために潜像が埋め込まれた背景画像を機密文書に係る文書画像に合成して出力画像を生成する際に、文書画像の少なくとも一部分の構成要素の複写後の視認性が低下するように、文書画像データ及び記憶手段から読み出した背景画像データの少なくとも一方を変換するので、機密文書の複写後の視認性を低下させて、不正複写を防止することができる。また、判定手段により文書画像データが機密文書に係るデータであると判定された場合に、文書画像データと背景画像データとを結合するので、機密文書に複写による偽造を防止するために潜像が埋め込まれた背景画像を確実に付加することができる。
【００１５】
また、上記の画像処理装置において、文書画像に含まれる文字、図形、及びイメージの少なくとも１つの構成要素について、複写後の視認性が低下するようにすることが好ましい。また、文書画像の構成要素の複写後の視認性を低下させるため、文書画像の構成要素の複写後の再現濃度を、背景画像の構成要素の複写後の再現濃度と同等とする、若しくは背景画像の構成要素の複写後の再現濃度より低下させることが好ましい。
【００１６】
また、文書画像の構成要素の複写後の視認性は、文書画像及び背景画像の構成要素の色及び濃度の少なくとも１つを変更して低下させることができる。例えば、文書画像の構成要素の色または濃度を、複写再現され難い色または濃度としてもよく、文書画像の構成要素の色を、背景画像と同じ明度で異なる色調とする画像と同じ明度で異なる色調としてもよい。
【００１７】
【発明の実施の形態】
以下、図面を参照して、本発明の実施の形態について説明する。
（第１の実施の形態）
第１の実施の形態に係る画像処理システムは、図１に示すように、パーソナル・コンピュータで構成されたクライアント装置７１、７２、本発明の画像処理装置を内蔵したプリントサーバ７３、及びプリンタ７４が、ネットワーク７５に接続されて構成されている。この画像処理システムにおいて、クライアント装置７１、７２からの指示により文書データの印刷を行う場合には、クライアント装置に内蔵されたプリンタドライバによって、文書データがＰＤＬ（Printer Description Language）で記述された文書データ（ＰＤＬデータ）に変換されて、ＰＤＬデータがネットワーク７５を介してプリントサーバ７３へ送信される。プリントサーバ７３は受信したＰＤＬデータを解析し、機密文書か否かを判定し、機密文書であると判定された場合には、ＰＤＬデータを加工して、加工後のＰＤＬデータをネットワーク７５を介してプリンタ７３へ送信する。プリンタ７３は、受信したＰＤＬデータをラスタ画像データに変換しプリント出力を行う。
【００１８】
次に、プリントサーバ７３に内蔵された画像処理装置の構成に付いて説明する。この画像処理装置は、図２に示すように、判定部２１、決定部２２、結合部２３、記憶部２４、文字色命令検出部２５、及び文字色変換部２６を備えている。
【００１９】
入力端Ａに入力された第１のＰＤＬデータであるＰＤＬ１（文書画像データ）は、判定部２１、文字色命令検出部２５、及び文字色変換部２６に入力される。記憶部２４には、第２のＰＤＬデータであるＰＤＬ２（背景画像データ）が記憶されている。
【００２０】
判定部２１は、入力されたＰＤＬ１を解析して、機密文書か否かを判定し、決定部２２及び文字色命令検出部２５に判定結果を通知する。文字色命令検出部２５は、ＰＤＬ１が機密文書と判断された場合に、入力されたＰＤＬ１を解析して、文字色を設定する命令を検出する。文字色変換部２６は、設定された文字色が予め登録された所定の文字色となるように、文字色を設定する命令を変換して、変換後のＰＤＬ１を決定部２２及び結合部２３に出力する。
【００２１】
決定部２２は、ＰＤＬ１が機密文書と判断された場合に、入力されたＰＤＬ１（文字色変換部２６により文字色を設定する命令が変換されている場合には、変換後のＰＤＬ１）を解析して、このＰＤＬ１と記憶部２４に記憶されているＰＤＬ２とを結合させる位置を決定し、結合部２３に通知する。
【００２２】
結合部２３は、記憶部２４からＰＤＬ２を読み出し、ＰＤＬ１（文字色変換部２６により文字色を設定する命令が変換されている場合には、変換後のＰＤＬ１）の決定部２２により決定された位置にＰＤＬ２を結合させて、第３のＰＤＬデータであるＰＤＬ３を生成し、生成したＰＤＬ３を出力端Ｂに出力する。
【００２３】
本実施の形態では、ＰＤＬ１（文書画像データ）とＰＤＬ２（背景画像データ）とを合成してＰＤＬ３を生成する段階で、ＰＤＬ１の文字色を設定する命令を変換して、文書画像データの文字色の全部または一部を変更することができるようになる。
【００２４】
次に、図４（Ａ）に示すＰＤＬを変換前のＰＤＬ１、図４（Ｂ）に示すＰＤＬをＰＤＬ２とした場合の画像処理装置の処理動作を説明する。なお、各コマンドの意味とパラメータの一例を下記表１及び表２に示すが、コマンド名、意味、パラメータの各々は、例示したものに限定されるわけではない。また、各コマンドは２以上のコマンドで構成されていてもよく、２以上のコマンドを１つのコマンドとパラメータとで表現してもよい。また、パラメータの数値形式は、整数に限らず、浮動小数点実数、固定小数点実数等でもよい。
【００２５】
【表１】
0003858602.tif 000002
【００２６】
【表２】
0003858602.tif 000003
【００２７】
まず、ＰＤＬ２を記述するコマンドについて説明する。図４（Ｂ）において※印を付したＤｒａｗＩｍａｇｅコマンドは、画像データを合成させるコマンドである。ここで、図３（Ａ）に、図４（Ｂ）に示すＰＤＬ２に基づきプリント出力された画像全体を示す。図３（Ａ）に示す画像は、白色画素を０、黒色画素を１として２進数表現することができる。ＤｒａｗＩｍａｇｅコマンドのパラメータは、このように画像を２進数表現に変換したデータ列であり、描画すべき画像は、図４（Ｂ）に示す様に、主走査方向、副走査方向の解像度が各々６００ｄｐｉ、主走査方向、副走査方向の画素数が各々４９６０画素、７０００画素、１ビット／画素のグレー画像である。
【００２８】
なお、図３（Ａ）中の文字「ＣＯＰＹ」の領域が複写機で複写すると図３（Ｂ）い示すように浮かび上がる潜像部であり、その周囲の領域が背景部である。この図では「ＣＯＰＹ」の文字が識別できるが、実際には、潜像部の濃度は背景部の濃度と同一濃度とされているので、潜像部の「ＣＯＰＹ」の文字は識別し難くなっている。図３（Ｃ）は、図３（Ａ）の四角で囲んだ領域を拡大した画像であり、潜像部は比較的大きなドットが粗く配置されたパターンで構成されており、背景部は比較的細かいドットがランダムに配置されたパターンで構成されている。潜像部と背景部とは、各々を構成するパターンは異なるが、プリント出力された場合の平均濃度が同一になるように構成されており、人間の目には全面均一のグレイ背景に見える。図３（Ａ）に示す画像を複写機で複写すると、潜像部の比較的大きなドットは忠実に複写再現されて浮かび上がり、背景部の比較的細かいドットは複写再現されず白く抜ける。その結果として、複写物において、図３（Ｂ）に示すように、「ＣＯＰＹ」の文字が浮かび上がる。
【００２９】
次に、ＰＤＬ１を記述するコマンドについて説明する。図４（Ａ）に示す様に、ＰＤＬ１では、Ｒｅｓｏｌｕｔｉｏｎコマンドで主走査方向、副走査方向の解像度を各々６００ｄｐｉ、ＰａｐｅｒＳｉｚｅコマンドで用紙サイズをＡ４ＳＥＦ、ＳｅｔＰｏｉｎｔコマンドで描画開始位置を座標（２０００、３５００）に指定し、ＦｏｎｔＳｉｚｅコマンドでフォントのサイズを２４、ＦｏｎｔＦａｃｅコマンドでフォントの種類をゴシック、ＦｏｎｔＣｏｌｏｒコマンドでフォントの色を黒色に指定して、ＤｒａｗＴｅｘｔコマンドで「テスト」という文字列を描画している。
【００３０】
また、ＰＤＬ１では、ジョブの開始を示すＳｔａｒｔＪｏｂコマンドとジョブの終了を示すＥｎｄＪｏｂコマンドとは１つのプリントジョブには１組しか存在せず、ページの開始を示すＳｔａｒｔＰａｇｅコマンドとページの終了を示すＥｎｄＰａｇｅコマンドとで挟まれたコマンド群の数はプリントジョブの物理ページ数、即ちプリンタでプリントアウトされるページ数を表し、論理ページの開始を示すＳｔａｒｔＬｏｇｉｃａｌＰａｇｅコマンドと論理ページの終了を示すＥｎｄＬｏｇｉｃａｌＰａｇｅコマンドとで挟まれたコマンド群の数はコマンド群が存在する物理ページに印刷される論理ページ数を表すものとする。
【００３１】
このＰＤＬ１を解釈して印刷すると、２４ポイントの黒色文字列「テスト」が座標（２０００、３５００）を描画開始位置として描画された、１つの論理ページを含む１つの物理ページがプリントアウトされる。図６（Ａ）にプリントアウト例を示す。
【００３２】
入力端Ａに入力されたＰＤＬ１は、判定部２１、文字色命令検出部２５、及び文字色変換部２６に入力される。判定部２１は、ＰＤＬ１から文書ファイル命令を記述したＤｏｃｕｍｅｎｔＮａｍｅコマンドを検出し、パラメータとして記述された文書ファイル名を抽出して、抽出された文書ファイル名に予め設定されたキーワードが含まれているか否かを解析する。そして、キーワードが含まれている場合には、ＰＤＬ１は機密文書であると判定し、キーワードが含まれていない場合には、ＰＤＬ１は通常文書であると判定する。例えば、キーワードを「お客様」とすると、図４（Ａ）に示すＰＤＬ１は、文書ファイル名に「お客様」というキーワードを含んでいるので、機密文書と判定され、ＰＤＬ１が機密文書である旨が判定部２１から決定部２２及び文字色命令検出部２５に通知される。
【００３３】
文字色命令検出部２５は、ＰＤＬ１が機密文書と判断された場合に、入力されたＰＤＬ１を解析して、文字色を設定するＦｏｎｔＣｏｌｏｒコマンドを検出し、ＦｏｎｔＣｏｌｏｒコマンドの位置を文字色変換部２６に通知する。文字色変換部２６は、設定された文字色が予め登録された所定の文字色となるように、ＦｏｎｔＣｏｌｏｒコマンドのパラメータを書き換える。例えば、ＰＤＬ１で設定された文字色は「黒」であるが、これがシアン等の複写再現されにくい文字色になるように、ＦｏｎｔＣｏｌｏｒコマンドのパラメータを「Black」から「Cyan」に書き換える。なお、本実施の形態では、複写後の視認性が低下する文字色を用いて複写再現され難くしている。そして、変換後のＰＤＬ１を決定部２２及び結合部２３に出力する。
【００３４】
決定部２２は、ＰＤＬ１が機密文書と判断された場合に、変換後のＰＤＬ１を解析して、１ページ分の描画命令の最後を示すＥｎｄＰａｇｅコマンドを検出し、ＥｎｄＰａｇｅコマンドの位置を結合部２３に通知する。結合部２３は、記憶部２４からＰＤＬ２を読み出し、ＰＤＬ１のＥｎｄＰａｇｅコマンドの直前にＰＤＬ２を結合させ、ＰＤＬ２の直後にＥｎｄＰａｇｅコマンドを付加して図５に示すＰＤＬ３を生成する。このようにＰＤＬ２をＰＤＬ１のＥｎｄＰａｇｅコマンド直前に挿入することにより、ＰＤＬ１の各物理ページにＰＤＬ２が挿入される。図５に示すように、ＰＤＬ３では、ＰＤＬ１のＦｏｎｔＣｏｌｏｒコマンドのパラメータが「Black」から「Cyan」に書き換えられると共に、ＥｎｄＰａｇｅコマンドの直前にＰＤＬ２が結合されている。そして、画像処理装置の出力端ＢからＰＤＬ３が出力される。
【００３５】
なお、判定部２１によりＰＤＬ１が通常文書であると判定された場合には、決定部２２及び文字色命令検出部２５は何も処理を行わず、入力されたＰＤＬ１がそのままＰＤＬ３として出力端Ｂに出力される。
【００３６】
次に、図５に示すＰＤＬデータ（ＰＤＬ３）に基づきプリントアウトされる画像について説明する。既に説明した通り、図４（Ａ）に示すＰＤＬ１（文書画像データ）を解釈して印刷すると、２４ポイントの黒色文字列「テスト」が座標（２０００、３５００）を描画開始位置として描画された図６（Ａ）に示す文書画像がプリントアウトされる。また、図４（Ｂ）に示すＰＤＬ２（背景画像データ）を解釈して印刷すると、図３（Ａ）に示す背景画像がプリントアウトされる。
【００３７】
ＰＤＬ３では、ＰＤＬ１のＦｏｎｔＣｏｌｏｒコマンドのパラメータが「Black」から「Cyan」に書き換えられているので、文書画像である文字列「テスト」の色は「黒」から「シアン」に変換される。また、ＰＤＬ３では、ＰＤＬ１の各物理ページにＰＤＬ２が挿入されるので、文字列の色が「シアン」に変換された文書画像に，図３（Ａ）に示す背景画像が付加される。従って、ＰＤＬ３を解釈して印刷すると、図６（Ｂ）に示す画像がプリントアウトされる。このプリントアウトされた画像を複写機で複写すると、図６（Ｃ）に示すように、文書画像の濃度は薄くなって判読が困難となる一方、背景画像に含まれていた潜像文字が浮かび上がり、複写物であることが明らかになる。
【００３８】
以上の通り、本実施の形態の画像処理システムでは、プリントサーバに内蔵された画像処理装置において、ＰＤＬ１（文書画像データ）が機密文書であると判定した場合に、自動的にＰＤＬ１とＰＤＬ２（背景画像データ）とを合成してＰＤＬ３を生成するので、機密文書に背景画像データを付加し忘れることが無く、複写による偽造を確実に防止することができる。
【００３９】
また、ＰＤＬ３を生成する段階で、ＰＤＬ１の文字色を設定する命令を変換して、文書画像の文字色を複写機で再現され難い色に変更することができるので、文書画像が予め複写機で再現され難い色で作成されていない場合にも、プリントアウト時に文書画像の文字色を複写機で再現され難い色に変更することができ、予め再編集等を行う必要が無い。
【００４０】
例えば、上記の機能を利用してプリントアウトされた機密文書は、複写機で再現されにくい色（例えば薄い青色）の文書画像に潜像文字を含む薄いグレーの背景画像が合成された画像となり、この機密文書を複写すると文書画像の再現濃度が低下し、機密文書の内容の判読が困難となる。一方、この機密文書の内容を判読しやすい濃度で複写再現するためには、複写機のコピー濃度を高くする必要があるが、複写機のコピー濃度を高くすると、背景画像中の潜像も高濃度で複写再現されるため、繰り返し複写することにより複写再現された警告文字等を消し去るといった不正複写を行うことができなくなる。
【００４１】
（第２の実施の形態）
第１の実施の形態では、機密文書と判定されたＰＤＬデータの文字色を予め登録された所定の文字色に変換する例について説明したが、第２の実施の形態では、予め複数の文字色を登録しておき、この複数の文字色から機密文書と判定されたＰＤＬデータの文字色と最も近似する文字色を選択し、機密文書と判定されたＰＤＬデータの文字色を選択された文字色に変換するものであり、文字色変換部２６の処理動作以外は、第１の実施の形態と同様であるため、相違点のみ説明する。
【００４２】
文字色変換部２６には、予め１６色の文字色が登録されている。この１６色の文字色としては、ハイライトグレイ、赤系の淡色、青形の淡色等、種々の色調で且つ複写再現されにくい色が選定されている。文字色変換部２６は、ＰＤＬ１のＦｏｎｔＣｏｌｏｒコマンドのパラメータとして記述された文字色（設定された文字色）を抽出し、公知の色数削減処理（限定色化処理）を行い、予め登録されている１６色の文字色から設定された文字色に最も近似する文字色を選択する。そして、ＰＤＬ１のＦｏｎｔＣｏｌｏｒコマンドのパラメータを、選択された文字色に変換する。変換後のＰＤＬ１は、決定部２２及び結合部２３に出力され、第１の実施の形態と同様の処理がなされる。
【００４３】
本実施の形態では、元の文書画像の文字色が黒の場合は、文字色がグレイに変換されてプリントアウトされ、元の文書画像の文字色が赤の場合は、文字色が淡色の赤に変換されてプリントアウトされる、という具合に、元の文書画像の色情報が保存されると共に、元の文書画像の文字色が複写機で再現されにくい色に変換されて機密文書がプリントアウトされる。この機密文書を複写すると文書画像の再現濃度が低下し、機密文書の内容の判読が困難となる。一方、この機密文書の内容を判読しやすい濃度で複写再現するためには、複写機のコピー濃度を高くする必要があるが、複写機のコピー濃度を高くすると、背景画像中の潜像も高濃度で複写再現されるため、繰り返し複写することにより複写再現された警告文字等を消し去るといった不正複写を行うことができなくなる。
【００４４】
（第３の実施の形態）
第３の実施の形態では、機密文書と判定されたＰＤＬデータの文字色の色調は保存したまま、明度を合成される背景画像データの明度と同じ明度へ変換するものであり、文字色変換部２６の処理動作以外は、第１の実施の形態と同様であるため、相違点のみ説明する。
【００４５】
文字色変換部２６には、記憶部２４に記憶されたＰＤＬ２（背景画像データ）の明度値が予め登録されている。文字色変換部２６は、ＰＤＬ１のＦｏｎｔＣｏｌｏｒコマンドのパラメータとして記述された文字色の色情報（例えばＲＧＢ値等の色設定値）を抽出し、その文字色の色情報を明度色差系の色空間へ変換して明度値及び色差値を取得する。色差値を変更することなく、明度値を予め登録されているＰＤＬ２（背景画像データ）の明度値に変換し、変換後の明度値及び色差値に基づいて元の色空間に逆変換し、変換する文字色の色情報を取得する。そして、ＰＤＬ１のＦｏｎｔＣｏｌｏｒコマンドのパラメータを、変換する文字色の色情報（色設定値）に変換する。変換後のＰＤＬ１は、決定部２２及び結合部２３に出力され、第１の実施の形態と同様の処理がなされる。
【００４６】
本実施の形態では、プリントアウトされた機密文書は、文字色の明度が背景画像の明度と同一であり、文書画像は複写再現され難くなる。この機密文書を複写すると文書画像の再現濃度が低下し、機密文書の内容の判読が困難となる。一方、機密文書の内容を判読しやすい濃度で複写再現するためには、複写機のコピー濃度を高くする必要があるが、複写機のコピー濃度を高くすると、背景画像中の潜像も高濃度で複写再現されるため、繰り返し複写することにより複写再現された警告文字等を消し去るといった不正複写を行うことができなくなる。
【００４７】
（第４の実施の形態）
第１の実施の形態では、機密文書と判定されたＰＤＬデータの文書内容（文字列）全部の文字色を予め登録された所定の文字色に変換する例について説明したが、第４の実施の形態では、一部の文字列の文字色を予め登録された所定の文字色に変換するものであり、画像処理システムの構成は第１の実施の形態と同様であるため説明を省略し、第１の実施の形態と相違する文字色命令検出部及び文字色変換部の処理動作を説明する。
【００４８】
本実施の形態では、図７（Ａ）に示すＰＤＬを変換前のＰＤＬ１、図７（Ｂ）に示すＰＤＬをＰＤＬ２とした場合の画像処理装置の処理動作を説明する。なお、各コマンドの意味とパラメータの例は、前記表１及び表２に示す通りである。図７（Ａ）に示すＰＤＬ１では、Ｒｅｓｏｌｕｔｉｏｎコマンドで主走査方向、副走査方向の解像度を各々６００ｄｐｉ、ＰａｐｅｒＳｉｚｅコマンドで用紙サイズをＡ４ＳＥＦ、ＳｅｔＰｏｉｎｔコマンドで描画開始位置を座標（２０００、３５００）に指定し、ＦｏｎｔＳｉｚｅコマンドでフォントのサイズを１２、ＦｏｎｔＦａｃｅコマンドでフォントの種類をゴシック、ＦｏｎｔＣｏｌｏｒコマンドでフォントの色を黒色に指定して、ＤｒａｗＴｅｘｔコマンドで「これは機密文書です」という文字列を描画している。このＰＤＬ１を解釈して印刷すると、図９（Ａ）に示すように、１２ポイントの黒色文字列「これは機密文書です」が座標（２０００、３５００）を描画開始位置として描画された、１つの論理ページを含む１つの物理ページがプリントアウトされる。また、図７（Ｂ）に示すＰＤＬ２は、図４（Ｂ）に示すＰＤＬ２と同一である。
【００４９】
文字色命令検出部２５には、予め所定の文字列（例えば「機密」）が登録されている。文字色命令検出部２５は、ＰＤＬ１が機密文書と判断された場合に、入力されたＰＤＬ１を解析して、文字色を設定するＦｏｎｔＣｏｌｏｒコマンドを検出し、パラメータとして記述された文字色（設定された文字色）を一時記憶する。また、同時に入力されたＰＤＬ１を解析して、文字列を描画するＤｒａｗＴｅｘｔコマンドを検出し、パラメータとして記述された文字列を抽出し、抽出した文字列から予め登録された所定の文字列を検索し、所定の文字列が含まれている場合は、ＦｏｎｔＣｏｌｏｒコマンドの位置、所定の文字列の位置、及び設定された文字色を、文字色変換部２６に通知する。
【００５０】
文字色変換部２６は、ＤｒａｗＴｅｘｔコマンドのパラメータとして記述された文字列を、所定の文字列（「機密」）部分、所定の文字列前の部分、及び所定の文字列後の部分の３つに分割し、所定の文字列部分のみについて、設定された文字色が予め登録された所定の文字色に変更され、所定の文字列前の部分及び所定の文字列後の部分は、設定された文字色のまま維持されるように、ＦｏｎｔＣｏｌｏｒコマンドのパラメータを書き換える。例えば、図７（Ａ）に示すＰＤＬ１では、ＤｒａｗＴｅｘｔコマンドのパラメータとして記述された文字列は「これは機密文書です」であり、設定された文字色は「黒」であるが、「これは機密文書です」という文字列を、「これは」「機密」「文書です」の３つの文字列に分割し、「機密」部分のみがシアン等の複写再現されにくい文字色になると共に、「これは」「文書です」部分が設定された文字色のまま維持されるように、「機密」部分のＦｏｎｔＣｏｌｏｒコマンドのパラメータを「Black」から「Cyan」に書き換えると共に、「これは」「文書です」部分のパラメータを「Black」のまま維持する。そして、変換後のＰＤＬ１を決定部２２及び結合部２３に出力する。
【００５１】
図８に示すように、ＰＤＬ３では、ＰＤＬ１のＤｒａｗＴｅｘｔコマンドのパラメータとして記述された文字列「これは機密文書です」が「これは」「機密」「文書です」の３つの文字列に分割され、「機密」部分のＦｏｎｔＣｏｌｏｒコマンドのパラメータだけが「Black」から「Cyan」に書き換えられると共に、ＥｎｄＰａｇｅコマンドの直前にＰＤＬ２が結合されている。そして、画像処理装置の出力端Ｂからは、図８に示すＰＤＬ３が出力される。
【００５２】
次に、図８に示すＰＤＬデータ（ＰＤＬ３）に基づきプリントアウトされる画像について説明する。既に説明した通り、図７（Ａ）に示すＰＤＬ１を解釈して印刷すると、１２ポイントの黒色文字列「これは機密文書です」が座標（２０００、３５００）を描画開始位置として描画された図９（Ａ）に示す文書画像がプリントアウトされる。また、図７（Ｂ）に示すＰＤＬ２を解釈して印刷すると、図３（Ａ）に示す背景画像がプリントアウトされる。
【００５３】
図８に示すＰＤＬ３では、ＰＤＬ１のＤｒａｗＴｅｘｔコマンドのパラメータとして記述された文字列のうち「機密」部分のＦｏｎｔＣｏｌｏｒコマンドのパラメータだけが「Black」から「Cyan」に書き換えられているので、文書画像の文字列「これは機密文書です」のうち「機密」部分の色だけが「黒」から「シアン」に変換される。
【００５４】
また、ＰＤＬ１の各物理ページにＰＤＬ２が挿入されるので、「機密」部分の色が「シアン」に変換された文書画像に、図３（Ａ）に示す背景画像が付加される。従って、図８に示すＰＤＬ３を解釈して印刷すると、図９（Ｂ）に示す画像がプリントアウトされる。このプリントアウトされた画像を複写機で複写すると、図９（Ｃ）に示すように、文書画像のうち「機密」部分の濃度は薄くなって判読が困難となる一方、背景画像に含まれていた潜像文字が浮かび上がり、複写物であることが明らかになる。
【００５５】
以上の通り、本実施の形態の画像処理システムでは、プリントサーバに内蔵された画像処理装置において、ＰＤＬ１（文書画像データ）が機密文書であると判定した場合に、自動的にＰＤＬ１とＰＤＬ２（背景画像データ）とを合成してＰＤＬ３を生成するので、機密文書に背景画像データを付加し忘れることが無く、複写による偽造を確実に防止することができる。
【００５６】
また、ＰＤＬ３を生成する段階で、ＰＤＬ１の文字色を設定する命令を変換して、文書画像の一部の文字列の文字色を複写機で再現され難い色に変更することができる。これにより、文書画像が予め複写機で再現され難い色で作成されていない場合においても、予め再編集等を行うことなく、プリントアウト時に文書画像の文字色を部分的に複写機で再現され難い色に変更することができる。
【００５７】
例えば、上記の機能を利用してプリントアウトされた機密文書は、機密性の高い文字列（「機密」）だけが複写機で再現されにくい色（例えば薄い青色）で表現された文書画像に潜像文字を含む薄いグレーの背景画像が合成された画像となる。この機密文書を複写すると文書画像の機密性の高い文字列の再現濃度が低下し、機密文書の全体的な内容の判読が困難となる。一方、この機密文書の機密性の高い文字列の内容を判読しやすい濃度で複写再現するためには、複写機のコピー濃度を高くする必要があるが、複写機のコピー濃度を高くすると、背景画像中の潜像も高濃度で複写再現されるため、繰り返し複写することにより複写再現された警告文字等を消し去るといった不正複写を行うことができなくなる。
【００５８】
上記第１〜第４の実施の形態では、ＰＤＬデータのＤｏｃｕｍｅｎｔＮａｍｅコマンドのパラメータとして記述された文書ファイル名を抽出し、抽出された文書ファイル名に予め設定されたキーワードが含まれているか否かで機密文書であるか否かを判定する例について説明したが、他の方法で機密文書であるか否かを判定するようにしてもよい。例えば、ＰＤＬデータのＤｒａｗＴｅｘｔコマンドのパラメータとして記述された文書内容（文字列）を抽出し、抽出された文字列に予め設定されたキーワードが含まれているか否かで機密文書であるか否かを判定するようにしてもよい。また、ＰＤＬデータに機密文書であることを示す特定のコマンドを含めるようにして、そのコマンドの有無により機密文書であるか否かを判定するようにしてもよい。
【００５９】
上記第１〜第４の実施の形態では、文書画像の文字色を所定の文字色に変更する例について説明したが、文書画像に含まれる図形やイメージ等、他の構成要素の色を所定の色に変更するようにしてもよい。また、色に代えて濃度を変更してもよく、色と共に濃度を変更してもよい。例えば、文書画像の文字色「黒」を「薄いグレー」に変更すると、この機密文書を複写した場合に、文書画像の再現濃度が低下し、機密文書の判読が困難になる。
【００６０】
上記第１〜第４の実施の形態では、文書画像の構成要素の色を変更する例について説明したが、文書画像の構成要素の複写後の視認性が低下すればよく、背景画像の構成要素の色や濃度を変更するようにしてもよい。
【００６１】
上記第４の実施の形態では、文書画像の機密性の高い文字列の文字色を所定の文字色に変更する例について説明したが、文書画像の特定の色（例えば、赤）または濃度に設定された文字列の色または濃度を所定の色または濃度に変更するようにしてもよい。
【００６２】
【発明の効果】
本発明の画像処理装置は、背景画像を文書画像に合成して出力画像を生成する際に、文書画像の構成要素の複写後の視認性を低下させて、不正複写を防止することができる、という効果を奏する。
【００６３】
また、入力手段から入力された文書画像データが特定文書に係るデータか否かを判定する判定手段を設け、判定手段により文書画像データが特定文書に係るデータであると判定された場合に、文書画像データと背景画像データとを結合させるようにすれば、特定文書に確実に背景画像を付加することができる。
【００６４】
特に、複写による偽造を防止するために潜像が埋め込まれた背景画像を機密文書に係る文書画像に合成して出力画像を生成する際に、文書画像の少なくとも一部分の構成要素の複写後の視認性が低下するように、文書画像データ及び記憶手段から読み出した背景画像データの少なくとも一方を変換することにより、機密文書の複写後の視認性を低下させて、機密文書の不正複写を防止することができる。
【図面の簡単な説明】
【図１】第１の実施の形態の画像処理システムの構成を示す構成図である。
【図２】第１の実施の形態の画像処理システムの画像処理装置の構成を示すブロック図である。
【図３】（Ａ）〜（Ｃ）は、ＰＤＬ２で描画される画像の例を示す図である。
【図４】（Ａ）はＰＤＬ１の１例を示す図であり、（Ｂ）はＰＤＬ２の１例を示す図である。
【図５】ＰＤＬ３の１例を示す図である。
【図６】（Ａ）はＰＤＬ１に基づきプリントアウトされる画像の１例を示す図であり、（Ｂ）はＰＤＬ３に基づきプリントアウトされる画像の１例を示す図であり、（Ｃ）は（Ｂ）の画像を複写して得られる画像を示す図である。
【図７】（Ａ）はＰＤＬ１の他の例を示す図であり、（Ｂ）はＰＤＬ２の他の例を示す図である。
【図８】ＰＤＬ３の他の例を示す図である。
【図９】（Ａ）はＰＤＬ１に基づきプリントアウトされる画像の他の例を示す図であり、（Ｂ）はＰＤＬ３に基づきプリントアウトされる画像の他の例を示す図であり、（Ｃ）は（Ｂ）の画像を複写して得られる画像を示す図である。
【符号の説明】
２１  判定部
２２  決定部
２３  結合部
２４  記憶部
２５  文字色命令検出部
２６  文字色変換部
７１、７２  クライアント装置
７３  プリントサーバ
７４  プリンタ
７５  ネットワーク
【図１】
0003858602.tif 000004
【図２】
0003858602.tif 000005
【図３】
0003858602.tif 000006
【図４】
0003858602.tif 000007
【図５】
0003858602.tif 000008
【図６】
0003858602.tif 000009
【図７】
0003858602.tif 000010
【図８】
0003858602.tif 000011
【図９】
0003858602.tif 000012